(57)【要約】【課題】構造体を構成する部材のうち連接する２部材を連結し、且つその位置関係が相対的に変化させることができて、しかも分解や組み付け作業を容易におこなうことのできる部材連結構造を、安価に提供する。【解決手段】連結しようとする２部材（胴体部１１と前脚部１３）をそれぞれシート材で袋状に形成し、一方の部材（胴体部１１）には嵌合凹部１６を設ける。さらに他方の部材（前脚部１３）には、該前脚部１３に空気を注入したときに、つれて膨らみ前記嵌合凹部１６と嵌合する嵌合凸部１７を一体的に形成する。【選択図】図１
2018201743.tif 000002
【特許請求の範囲】
【請求項１】
空気を注入し膨張させてなる構造体を構成する部材のうち連接する２部材を連結するための連結構造であって、
双方の部材がそれぞれシート材からなり空気が注入されることによって膨張するように袋状に形成され、
一方の部材には、嵌合凹部が設けられ、
他方の部材には、該部材と一体的に形成され、空気が注入された際につれて膨張する嵌合凸部が設けられ、
この嵌合凸部が設けられた側の部材を萎ませた状態で前記嵌合凹部に嵌合凸部を挿入し、そののち空気を注入して膨張させることによってこれら嵌合凸部と嵌合凹部とが嵌合して双方の部材が連結を果すことを特徴とする構造体構成部材の連結構造。
【請求項２】
前記一方の部材に設けられた嵌合凹部が、部材内部に空気が注入されたとしてもその形状が内圧によって変化しない硬さを有する素材で形成されていることを特徴とする請求項１に記載の構造体構成部材の連結構造。
【請求項３】
前記嵌合凹部の開口部の周縁径を、該嵌合凹部の内部径よりも小さく形成するとともに、前記嵌合凸部にこの開口部に対応して嵌合する首部を形成することを特徴とする請求項１または請求項２に記載の構造体構成部材の連結構造。
【請求項４】
前記嵌合凸部に形成された首部に、円環状のリング体を取り付けるとともに、前記嵌合凹部の開口部周壁をこのリング体と嵌合する形状に形成することを特徴とする請求項１ないし請求項３のいずれかに記載の構造体構成部材の連結構造。
【請求項５】
前記リング体の外周壁を、軸方向全体にわたって軸直角断面視で多角形状もしくは所定の間隔で凹凸を形成したことを特徴とする請求項４に記載の構造体構成部材の連結構造。
【請求項６】
空気を注入し膨張させてなる構造体を構成する部材のうち連接する２部材を連結するための連結構造であって、
双方の部材がそれぞれシート材からなり空気が注入されることによって膨張するように袋状に形成され、
一方の部材には、一対の嵌合軸が向かい合わせに配された嵌合凸部が設けられ、
他方の部材には、一対の嵌合凹部が、前記嵌合凸部に設けられた嵌合軸に対応してそれぞれ設けられ、
嵌合凹部が設けられた側の部材を、萎ませた状態で前記嵌合凸部に設けられた一対の嵌合軸の間に嵌合凹部がくるように挿入し、空気を注入して膨張させることによってこれら嵌合軸と嵌合凹部とがそれぞれ嵌合し、双方の部材が連結を果すことを特徴とする構造体構成部材の連結構造。
【請求項７】
前記嵌合凸部に設けられた一対の嵌合軸を、軸全体にわたって軸直角視で多角形状もしくは所定の間隔で凹凸が形成されたものとし、前記嵌合凹部の開口部周壁をこれと嵌合するように形成したことを特徴とする請求項６に記載の構造体構成部材の連結構造。
【発明の詳細な説明】
【技術分野】
【０００１】
本発明は、空気を注入し膨張させてなる構造体を構成する部材の連結構造に関し、特に空気を入れて膨らませ動物や乗り物等の形態にする玩具やマネキンなどの構造体の構成部材連結構造に関する。
【背景技術】
【０００２】
この種の空気を入れて膨らませる玩具やマネキンは、胴体部に腕部や脚部が一体的に取り付けられているために単一の姿勢しかとれず、面白みに欠けるという問題があった（例えば特許文献１）。
【先行技術文献】
【特許文献】
【０００３】
【特許文献１】特開２０００−１２６４７０号公報
【発明の概要】
【発明が解決しようとする課題】
【０００４】
本発明は、このような従来の空気を入れて膨らませるタイプの玩具やマネキンの問題を鑑みてなされたものであって、その主たる目的は、空気を入れて膨らませるタイプの構造体でありながらも、構成する部材の位置関係を相対的に変化させることができ、分解や組み付け作業が容易な部材連結構造を、安価に提供することにある。
【課題を解決するための手段】
【０００５】
かかる目的を達成するために本発明はつぎの手段をとる。
【０００６】
第１の発明は、
空気を注入し膨張させてなる構造体を構成する部材のうち連接する２部材を連結するための連結構造であって、
双方の部材がそれぞれシート材からなり空気が注入されることによって膨張するように袋状に形成され、
一方の部材には、嵌合凹部が設けられ、
他方の部材には、該部材と一体的に形成され、空気が注入された際につれて膨張する嵌合凸部が設けられ、
この嵌合凸部が設けられた側の部材を萎ませた状態で前記嵌合凹部に嵌合凸部を挿入し、そののち空気を注入して膨張させることによってこれら嵌合凸部と嵌合凹部とが嵌合して双方の部材が連結を果すことを特徴とするものである。
【０００７】
こうした構成をとることによって本発明の連結構造は、
２部材の相対的な位置関係をさまざまに変化させたり回転させたりすることができるうえ、連結や取り外しも簡単におこなうことができるという利点を有する。
【０００８】
なお、前記一方の部材に設ける嵌合凹部は、部材内部に空気が注入されたとしてもその形状が内圧によって変化しない硬さを有する素材で形成することが好ましい。
【０００９】
こうした構成をとることによって、嵌合凹部を部材の表面よりも窪ませることが可能となり、嵩張らないうえに美観を損ねることもないという利点が生じる。
【００１０】
また、前記嵌合凹部の開口部の周縁径を内部径よりも小さく形成するとともに、前記嵌合凸部にこの開口部に対応して嵌合する首部を形成することが好ましい。
【００１１】
こうした構成をとることにより、嵌合凸部を嵌合凹部に挿入して膨らませたときに開口部が抜け止めの役割を果たし、抜けにくくなるという利点が生じる。
【００１２】
さらにまた、前記嵌合凸部に形成された首部に円環状のリング体を取り付けるとともに、前記嵌合凹部の開口部周壁をこのリング体と嵌合する形状に形成してもよい。
【００１３】
こうした構成をとることによって、嵌合凸部と嵌合凹部とが嵌合したときにガタツキが生じないという利点が生じ、一方の部材を回転させるときにもスムーズに動かすことができる。
【００１４】
さらにまた、前記リング体の外周壁を、軸方向全体にわたって軸直角断面視で多角形状や所定の間隔で凹凸を形成したものとしてもよい。
【００１５】
こうした構成をとることによって、嵌合凸部と嵌合凹部とを嵌合させたときに、その相対的な位置関係を固定するができるという利点が生じる。
【００１６】
第２の発明は、
空気を注入し膨張させてなる構造体を構成する部材のうち連接する２部材を連結するための連結構造であって、
双方の部材がそれぞれシート材からなり空気が注入されることによって膨張するように袋状に形成され、
一方の部材には、一対の嵌合軸が向かい合わせに配された嵌合凸部が設けられ、
他方の部材には、空気を注入した際にもその形状を保持する材質によって形成された一対の嵌合凹部が、前記嵌合凸部に設けられた嵌合軸に対応して設けられ、
嵌合凹部が設けられた側の部材を、萎ませた状態で前記嵌合凸部に設けられた一対の嵌合軸の間に嵌合凹部がくるように挿入し、空気を注入して膨張させることによってこれら嵌合軸と嵌合凹部とがそれぞれ嵌合し、双方の部材が連結を果すことを特徴とするものである。
【００１７】
こうした構成をとることによって本発明の連結構造は、
嵌合凸部が抜けにくく、２部材の相対的な位置関係をさまざまに変化させたり回転させたりすることができるうえ、連結や取り外しも簡単におこなうことができるという利点を有する。
【００１８】
なお、前記嵌合凸部に設けられた一対の嵌合軸を、軸全体にわたって多角形状や所定の間隔で凹凸が形成されたものとし、前記嵌合凹部の開口部周壁をこれと嵌合するように形成してもよい。
【００１９】
こうした構成をとることによって、嵌合凸部と嵌合凹部とを嵌合させたときに、その相対的な位置関係を固定するができるという利点が生じる。
【発明の効果】
【００２０】
本発明によれば、空気を入れて膨らませるタイプの構造体でありながらも、構成する部材の相対的な位置関係をさまざまに変化させて連結することができるうえ、分解や組み付け作業が容易な部材連結構造を、安価に提供することができる。
【図面の簡単な説明】
【００２１】
【図１】本発明を動物人形に適用した場合の第１実施形態を示しており、（ａ）は斜視図、（ｂ）は一部切り欠き分解斜視図。
【図２】上記第１実施形態における（ａ）は前脚部と嵌合凹部の斜視図、（ｂ）はそれらの断面図。
【図３】同、前脚部の組み付け手順を示す断面説明図。
【図４】第１実施形態における嵌合凸部の変形例を示しており、（ａ）は前脚部の斜視図、（ｂ）は断面図、（ｃ）は（ｂ）のＡ−Ａ線断面図、（ｄ）と（ｅ）はさらに別の変形例の、Ａ−Ａ線と同じ位置から見た断面図。
【図５】第１実施形態における嵌合凹部の変形例を示しており、（ａ）は変形例１の断面図、（ｂ）は変形例２の斜視図、（ｃ）は断面図、（ｄ）と（ｅ）は（ａ）の嵌合凹部にさらに別体の補助部材を付け加えた場合の取り付け説明断面図。
【図６】本発明を動物人形に適用した場合の第２実施形態を示しており、（ａ）は斜視図、（ｂ）は一部切り欠き分解斜視図。
【図７】上記第２実施形態における（ａ）は中間連結部と前脚部の斜視図、（ｂ）はこれらの組み付け状態を表す斜視図。
【図８】同、前脚部の組み付け手順を示す断面説明図。
【図９】第２実施形態における嵌合凸部の変形例を示しており、（ａ）は斜視図、（ｂ）は平面図、（ｃ）は（ｂ）のＡ−Ａ線断面図、（ｄ）はさらに別の変形例の、Ａ−Ａ線と同じ位置から見た断面図。
【発明を実施するための形態】
【００２２】
以下、本発明にかかる連結構造の実施形態を図に基づき説明するが、これに限定されるものではない。
【００２３】
≪第１実施形態≫
図１ないし図３は第１実施形態として本発明にかかる連結構造を適用した場合の動物人形１０を示しており、図１（ａ）は斜視図、（ｂ）は一部切り欠き分解斜視図、図２は前記第１実施形態における（ａ）は前脚部と嵌合凹部の斜視図、（ｂ）は断面図、図３（ａ）ないし（ｃ）は前脚部の組み付け手順を示す断面説明図、である。
【００２４】
図において、動物人形１０は、これを構成する部材として胴体部１１、頭部１２、前脚部１３・１３、後脚部１４・１４を有し、胴体部１１にその他の部材が連結構造１５によって連結される構成となっている。
【００２５】
これら各部材はビニールやポリプロピレン等の素材よりなるシートを密閉された袋状に形成したもので、空気を注入することによって膨張し、それぞれ胴体部１１や頭部１２、前脚部１３・１３、後脚部１４・１４の形状をなすようになっている。
【００２６】
符号１９は、空気をこれらの部材に注入し、また排出するためのバルブであり、各部材ごとに設けられている。なお、このバルブ１９は、既によく知られた構造であるためにここでの説明は省略する。
【００２７】
つぎに、かかる部材を連結するための連結構造１５について説明する。ここでは胴体部１１と前脚部１３についてのみ説明をおこなうが、胴体部１１と頭部１２、胴体部１１と後脚部１４・１４、についても同様の構成となっている。
【００２８】
この連結機構１５は嵌合凹部１６と嵌合凸部１７とで構成されている。
【００２９】
このうち嵌合凹部１６は、中空の球体の一部が開口した形状を有する凹部本体１６ａと、該凹部本体１６ａの開口部１６ｂ周縁から径方向外向きに延出するフランジ部１６ｃと、で構成されている。開口部１６ｂの径は内部径よりも小さく設定されており、嵌合した嵌合凸部１７が不用意に抜けることのないようになっている。
【００３０】
この嵌合凹部１６は、胴体部１１にあけられた取付孔１１ａにフランジ部１６ｃが接着されることでこの胴体部１１に取り付けられており、胴体部１１に空気が注入されたとしてもその形状が内圧で変化しない程度の硬さを有している。
【００３１】
なお、ここでは図示しないがこの嵌合凹部１６は、前脚部１３・１３だけでなく頭部１２や後脚部１４・１４を取り付ける位置にもそれぞれ取り付けられている。
【００３２】
嵌合凸部１７は、前脚部１３の基端側にこの前脚部１３と一体的に形成されており、空気を注入した際には該前脚部１３と一緒に膨張するようになっている。詳しくは、膨張したときには略球形状になる凸部本体１７ａと、該嵌合部１７ａと前脚部１３の基端部とを連結する首部１７ｂと、で構成されており、凸部本体１７ａは膨張時には前記凹部本体１６ａの内部径よりもやや大きくなるように設定されている。
【００３３】
〈取り付け手順〉
つぎに、かかる構成を有する動物人形１０の胴体部１１に前脚部１３を取り付ける手順について、図３を基に説明する。
【００３４】
まず、胴体部１１に空気を注入して膨らませた状態にする。前脚部１３側は萎んだ状態のままにしておく。
【００３５】
つぎに、胴体部１１側に設けられた嵌合凹部１６に、前脚部１３側に設けられた嵌合凸部１７を挿入する。このとき嵌合凸部１７は前脚部１３と同様に萎んだ状態であるので、差し込み作業は容易におこなうことができる。
【００３６】
差し込みを終えたら前脚部１３に空気を注入して膨張させていく。そうすると、つれて嵌合凸部１７も膨らんでいき、これの凸部本体１７ａが凹部本体１６ａに圧接した状態で嵌合して胴体部１１と前脚部１３とが連結される。
【００３７】
この連結された状態にあるとき、前脚部１３側に設けられた凹部本体１７ａの内部径は、嵌合凹部１６の開口部１６ｂの径よりも大きくなっているので、仮に前脚部１３に不用意な負荷がかかったとしても簡単に抜けるようなことはない。
【００３８】
また、凸部本体１７ａの膨張時の外径が凹部本体１６ａの内部径よりも大きく設定されているために、常にこの凹部本体１６ａを凸部本体１７ｑが内側から押圧しているので、連結する際に設定した前脚部１３の姿勢は重力の影響をうけることなく保持される。
【００３９】
なお、凹部本体１６ａと凸部本体１７ａの大きさの割合や空気圧などの設定を変えることによって、この前脚部１３を手にとって軽く動かしたり回転させたりすることができるようにすることも可能である。
【００４０】
＜第１実施形態の変形例＞
図４は第１実施形態の嵌合凸部の変形例を示しており、（ａ）は変形例１の斜視図、（ｂ）は断面図、（ｃ）は（ｂ）のＡ−Ａ線断面図、（ｄ）は変形例２の、Ａ−Ａ線に相当する位置からみた断面図、（ｅ）は変形例３の、Ａ−Ａ線に相当する位置からみた断面図である。
【００４１】
図４（ａ）ないし（ｃ）に示す変形例１は、嵌合凸部１７の首部１７ｂに円環状のリング体１７ｃを固着したものである。こうすることによって、嵌合凹部１６と嵌合凸部１７が嵌合したときのガタツキを防ぐことができ、また、前脚部１３の姿勢を変化させる際にもよりスムーズに動かすことができるという利点が生じる。
【００４２】
図４（ｄ）に示す変形例２のリング体１７ｄは、外周壁が断面視で六角形状に形成されたものである。さらに（ｅ）に示す変形例３のリング体１７ｅは外周壁に所定の間隔で径方向全周にわたる凹凸が形成されたものである（図示しないが、嵌合凹部１６側の開口部１６ｂもこれらに嵌合する形状に形成される）。
【００４３】
こうした構成にしておくと、いったん連結した２部材の相対的な位置関係を変化させることはできなくなるので、例えば大型のビニール製人形等に適用すれば、その重さによって最初に設定した姿勢が徐々に崩れてくる、といった不都合を防ぐことができる。
＜第１実施形態の変形例＞
図５は第１実施形態の嵌合凹部の変形例を示しており、（ａ）は変形例１の断面図、（ｂ）は変形例２の斜視図、（ｃ）は断面図、（ｄ）と（ｅ）は（ａ）の嵌合凹部にさらに別体の補助部材を付け加えた場合の取り付け説明断面図である。
【００４４】
図５（ａ）に示す変形例１の嵌合凹部１６Ａは、開口部径と内部径とを同一にしたものである。こうすることによって、負荷がかかれば嵌合凸部１７が抜けやすくはなるという欠点が生じるものの、嵌合凹部１６Ａのみならず該嵌合凹部１６Ａに対応して形成される嵌合凸部１７Ａにも首部を形成する手間を省くことができるので、製造が簡単になりコストを抑えることができるという新たな利点が生じるので、例えば小さな飾り付け用人形など、あまり荷重や負荷のかかるおそれのない構造体には好適となる。
【００４５】
図５（ｂ）および（ｃ）に示す変形例２の嵌合凹部１６Ｂは、対向する一対の側壁と天壁、底壁とで形成された角筒体１６ｄの天壁中央部に、凹部本体１６ａを設けたものである。こうすることによってこの変形例２は、部材の表面に固着するだけでよくなり取り付けが簡単であるいう利点を有する。
【００４６】
また、図５（ｄ）および（ｅ）に示す変形例３は、前記変形例１の嵌合凹部１６Ａにさらに補助部材１６ｅを別体として形成し、取り付けたものである。この補助部材１６ｅは、端面中央に嵌合凹部１６Ａの内部径よりも小径な挿通孔を穿設したもので、これを嵌合凹部１６Ａに取り付けることによって開口部を窄めるのと同じ効果が生じるようになっており、こうすることによって、それぞれの部材を簡単な構造の金型で製造できるという利点が生じる。
≪第２実施形態≫
図６ないし図８は第２実施形態として本発明にかかる連結構造を適用した場合の動物人形２０を示しており、図６（ａ）は斜視図、（ｂ）は一部切り欠き分解斜視図、図７（ａ）は中間連結部と前脚部の分解斜視図、（ｂ）はこれらを組み付けた状態を表す斜視図、図７は中間連結部に前脚部の組み付ける手順を示す断面説明図、である。
【００４７】
ここでは、前脚部１３は中間連結部２８を介して胴体部１１に取り付けられるものとなっている。以下、この構成についてさらに詳しく説明する。なお、煩雑さを防ぐために第１実施形態と同一の部位には同一記号を付し、説明を省略している。
【００４８】
図において、中間連結部２８は、嵌合凸部１７を有する空気袋部２３と、嵌合凸部２７と、で構成されている。
【００４９】
このうち空気袋部２３は、嵌合凸部１７を支持し且つ該嵌合凸部１７に空気を注入して膨張させるためのもので、第１実施形態における前脚部１３などと同様にビニールやポリプロピレン等の素材よりなるシートを短円柱形の袋状に形成したものである。その周壁にはバルブ１９が設けられ、天面には嵌合凸部１７が一体的に設けられ、バルブ１９から注入された空気は空気袋部２３を介して嵌合凸部１７に送り込まれ、これを膨張させるようになっている。また、底面には嵌合凸部２７が取り付けられている。
【００５０】
嵌合凸部２７は一対の支持板２７ａ・２７ａと該支持板の基端部を連結する底板２７ｂとからなる平面視略コ字形状に形成されたもので、両支持板２７ａ・２７ａの内側には一対の嵌合軸２７ｃ・２７ｃが対向してそれぞれ突設されている。
【００５１】
前脚部１３の基端側には、前記嵌合凸部２７側に設けられた嵌合軸２７ｃ・２７ｃに対応する位置に一対の嵌合凹部２６・２６がそれぞれ取り付けられている。この嵌合凹部２６は、前記空気袋部２３に空気が注入されたとしてもその内圧によって形状が変化しない程度の硬さを有する硬質の合成樹脂材からなっており、有底筒状に形成された凹部本体２６ａと、これの開口部周縁から径方向外向きに延出するフランジ部２６ｃとで構成されている。この嵌合凹部２６は、フランジ部２６ｃを前脚部１３に開けられた取付孔２３ａの内周縁に接着することでこの前脚部１３に取り付けられている。
【００５２】
〈取り付け手順〉
つぎに、かかる構成を有する動物人形２０の胴体部１１に前脚部１３を取り付ける手順について、図８を基に説明する。
【００５３】
まず、先に膨らませた胴体部１１に中間連結部２８を連結させておく。この連結手順については既に述べた第１実施形態と同じであるためここでは省略する。前脚部１３側は萎んだ状態のままにしておく。
【００５４】
つぎに、前脚部１３を、取り付けられている嵌合凹部２６・２６が中間連結部２８側の嵌合凸部２７に設けられている嵌合軸２７ｃ・２７ｃの間にくるように押し込み、空気を注入していく。そうすると、前脚部１３の膨張につれて嵌合凹部２６・２６が嵌合軸２７ｃ・２７ｃに近づいていき、やがて嵌合し、さらには支持板２７ａ・２７ａ側に向かって強く押し付けら、中間連結部２８と前脚部１３とは連結された状態となる。
【００５５】
この連結された状態にあるとき、前脚部１３は、中間連結部２８側の内側に向かってそれぞれ突設された嵌合軸２７ｃ・２７ｃによって嵌合凹部２６・２６を介して両側から挟持された格好となっている。したがって不用意に負荷がかかったとしても抜けるおそれがない。
【００５６】
＜第２実施形態の変形例＞
図９は第２実施形態における嵌合軸の変形例を示したもので、（ａ）は斜視図、（ｂ）は平面図、（ｃ）は（ｂ）のＡ−Ａ線断面図、（ｄ）は（ｂ）のＡ−Ａ線に相当する位置からみた変形例２の断面図、である。
【００５７】
図９（ａ）ないし（ｃ）に示す変形例１の嵌合軸２７ｄ・２７ｄは、その外周が軸方向全体にわたってＡ−Ａ線断面視で六角形状に形成されたもので、さらに（ｄ）に示す変形例２の嵌合軸２７ｄ・２７ｄは、軸方向全体にわたって所定の間隔で径方向全周に凹凸が形成されたものである（図示しないが、嵌合凹部２６側の凹部本体２６ａの周側壁もこれらに嵌合する形状に形成される）。
【００５８】
こうした構成にしておくと、いったん連結した２部材の相対的な位置関係を変化させることはできなくなるので、例えば大型のビニール製人形等に適用すれば、その重さによって最初に設定した姿勢が徐々に崩れてくる、といった不都合を防ぐことができる。
【００５９】
以上説明したように、本発明によれば、空気を入れて膨らませるタイプの構造体でありながらも、構成する部材の相対的な位置関係をさまざまに変化させて連結することができるうえ、分解や組み付け作業が容易な部材連結構造を、安価に提供することができる、という効果がある。
【符号の説明】
【００６０】
１０、２０・・・・・・・・・・・・・・・・動物人形
１１・・・・・・・・・・・・・・・・・・・胴体部
１１ａ・・・・・・・・・・・・・・・・・・取付孔
１２・・・・・・・・・・・・・・・・・・・首部
１３・・・・・・・・・・・・・・・・・・・前脚部
１３ａ・・・・・・・・・・・・・・・・・・取付孔
１４・・・・・・・・・・・・・・・・・・・後脚部
１５・・・・・・・・・・・・・・・・・・・連結構造
１６、１６Ａ、１６Ｂ、２６・・・・・・・・嵌合凹部
１６ａ、２６ａ・・・・・・・・・・・・・・凹部本体
１６ｂ・・・・・・・・・・・・・・・・・・開口部
１６ｃ、２６ｃ・・・・・・・・・・・・・・フランジ部
１６ｄ・・・・・・・・・・・・・・・・・・角筒体
１６ｅ・・・・・・・・・・・・・・・・・・補助部材
１７、１７Ａ・・・・・・・・・・・・・・・嵌合凸部
１７ａ・・・・・・・・・・・・・・・・・・凸部本体
１７ｂ・・・・・・・・・・・・・・・・・・首部
１９・・・・・・・・・・・・・・・・・・・バルブ
２３・・・・・・・・・・・・・・・・・・・空気袋部
２７・・・・・・・・・・・・・・・・・・・嵌合凸部
２７ａ・・・・・・・・・・・・・・・・・・支持板
２７ｂ・・・・・・・・・・・・・・・・・・底板
２７ｃ、２７ｄ・・・・・・・・・・・・・・嵌合軸
２８・・・・・・・・・・・・・・・・・・・中間連結部
【図１】
2018201743.tif 000003
【図２】
2018201743.tif 000004
【図３】
2018201743.tif 000005
【図４】
2018201743.tif 000006
【図５】
2018201743.tif 000007
【図６】
2018201743.tif 000008
【図７】
2018201743.tif 000009
【図８】
2018201743.tif 000010
【図９】
2018201743.tif 000011
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
空気を注入し膨張させてなる構造体を構成する部材のうち連接する２部材を連結するための連結構造であって、
双方の部材がそれぞれシート材からなり空気が注入されることによって膨張するように袋状に形成され、
一方の部材には、開口部の周縁径が内部径よりも小さく形成された嵌合凹部が取り付けられ、
他方の部材には、該部材と一体的に形成され、空気が注入された際につれて膨張する嵌合凸部が設けられるとともに、該嵌合凸部の首部には前記嵌合凹部の開口部に嵌合する円環状のリング体が取り付けられ、
この嵌合凸部が設けられた側の部材を萎ませた状態で前記嵌合凹部に嵌合凸部を挿入し、そののち空気を注入して膨張させることによってこれら嵌合凸部と嵌合凹部とが嵌合して双方の部材が連結を果すことを特徴とする構造体構成部材の連結構造。
【請求項２】
前記リング体の外周壁を、軸方向全体にわたって軸直角断面視で多角形状もしくは所定の間隔で凹凸を形成したことを特徴とする請求項１に記載の構造体構成部材の連結構造。
【請求項３】
空気を注入し膨張させてなる構造体を構成する部材のうち連接する２部材を連結するための連結構造であって、
双方の部材がそれぞれシート材からなり空気が注入されることによって膨張するように袋状に形成され、
一方の部材には、一対の嵌合軸が向かい合わせに配された嵌合凸部が設けられ、
他方の部材には、一対の嵌合凹部が、前記嵌合凸部に設けられた嵌合軸に対応してそれぞれ設けられ、
嵌合凹部が設けられた側の部材を、萎ませた状態で前記嵌合凸部に設けられた一対の嵌合軸の間に嵌合凹部がくるように挿入し、空気を注入して膨張させることによってこれら嵌合軸と嵌合凹部とがそれぞれ嵌合し、双方の部材が連結を果すことを特徴とする構造体構成部材の連結構造。
【請求項４】
前記嵌合凸部に設けられた一対の嵌合軸を、軸全体にわたって軸直角視で多角形状もしくは所定の間隔で凹凸が形成されたものとし、前記嵌合凹部の開口部周壁をこれと嵌合するように形成したことを特徴とする請求項３に記載の構造体構成部材の連結構造。
【手続補正２】
【補正対象書類名】明細書
【補正対象項目名】全文
【補正方法】変更
【補正の内容】
【発明の詳細な説明】
【技術分野】
【０００１】
本発明は、空気を注入し膨張させてなる構造体を構成する部材の連結構造に関し、特に空気を入れて膨らませ動物や乗り物等の形態にする玩具やマネキンなどの構造体の構成部材連結構造に関する。
【背景技術】
【０００２】
この種の空気を入れて膨らませる玩具やマネキンは、胴体部に腕部や脚部が一体的に取り付けられているために単一の姿勢しかとれず、面白みに欠けるという問題があった（例えば特許文献１）。
【先行技術文献】
【特許文献】
【０００３】
【特許文献１】特開２０００−１２６４７０号公報
【発明の概要】
【発明が解決しようとする課題】
【０００４】
本発明は、このような従来の空気を入れて膨らませるタイプの玩具やマネキンの問題を鑑みてなされたものであって、その主たる目的は、空気を入れて膨らませるタイプの構造体でありながらも、構成する部材の位置関係を相対的に変化させることができ、分解や組み付け作業が容易な部材連結構造を、安価に提供することにある。
【課題を解決するための手段】
【０００５】
かかる目的を達成するために本発明はつぎの手段をとる。
【０００６】
第１の発明は、
空気を注入し膨張させてなる構造体を構成する部材のうち連接する２部材を連結するための連結構造であって、
双方の部材がそれぞれシート材からなり空気が注入されることによって膨張するように袋状に形成され、
一方の部材には、開口部の周縁径が内部径よりも小さく形成された嵌合凹部が取り付けられ、
他方の部材には、該部材と一体的に形成され、空気が注入された際につれて膨張する嵌合凸部が設けられるとともに、該嵌合凸部の首部には前記嵌合凹部の開口部に嵌合する円環状のリング体が取り付けられ、
この嵌合凸部が設けられた側の部材を萎ませた状態で前記嵌合凹部に嵌合凸部を挿入し、そののち空気を注入して膨張させることによってこれら嵌合凸部と嵌合凹部とが嵌合して双方の部材が連結を果すことを特徴とするものである。
【０００７】
こうした構成をとることによって本発明の連結構造は、
２部材の相対的な位置関係をさまざまに変化させたり回転させたりすることができるうえ、連結や取り外しも簡単におこなうことができる。また、嵌合凸部と嵌合凹部とが嵌合したときにガタツキが生じないという利点が生じ、一方の部材を回転させるときにもスムーズに動かすことができる。
【０００８】
さらにまた、前記リング体の外周壁を、軸方向全体にわたって軸直角断面視で多角形状や所定の間隔で凹凸を形成したものとしてもよい。
【０００９】
こうした構成をとることによって、嵌合凸部と嵌合凹部とを嵌合させたときに、その相対的な位置関係を固定するができるという利点が生じる。
【００１０】
第２の発明は、
空気を注入し膨張させてなる構造体を構成する部材のうち連接する２部材を連結するための連結構造であって、
双方の部材がそれぞれシート材からなり空気が注入されることによって膨張するように袋状に形成され、
一方の部材には、一対の嵌合軸が向かい合わせに配された嵌合凸部が設けられ、
他方の部材には、空気を注入した際にもその形状を保持する材質によって形成された一対の嵌合凹部が、前記嵌合凸部に設けられた嵌合軸に対応して設けられ、
嵌合凹部が設けられた側の部材を、萎ませた状態で前記嵌合凸部に設けられた一対の嵌合軸の間に嵌合凹部がくるように挿入し、空気を注入して膨張させることによってこれら嵌合軸と嵌合凹部とがそれぞれ嵌合し、双方の部材が連結を果すことを特徴とするものである。
【００１１】
こうした構成をとることによって本発明の連結構造は、
嵌合凸部が抜けにくく、２部材の相対的な位置関係をさまざまに変化させたり回転させたりすることができるうえ、連結や取り外しも簡単におこなうことができるという利点を有する。
【００１２】
なお、前記嵌合凸部に設けられた一対の嵌合軸を、軸全体にわたって多角形状や所定の間隔で凹凸が形成されたものとし、前記嵌合凹部の開口部周壁をこれと嵌合するように形成してもよい。
【００１３】
こうした構成をとることによって、嵌合凸部と嵌合凹部とを嵌合させたときに、その相対的な位置関係を固定するができるという利点が生じる。
【発明の効果】
【００１４】
本発明によれば、空気を入れて膨らませるタイプの構造体でありながらも、構成する部材の相対的な位置関係をさまざまに変化させて連結することができるうえ、分解や組み付け作業が容易な部材連結構造を、安価に提供することができる。
【図面の簡単な説明】
【００１５】
【図１】本発明を動物人形に適用した場合の第１実施形態を示しており、（ａ）は斜視図、（ｂ）は一部切り欠き分解斜視図。
【図２】上記第１実施形態における（ａ）は前脚部と嵌合凹部の斜視図、（ｂ）はそれらの断面図。
【図３】同、前脚部の組み付け手順を示す断面説明図。
【図４】第１実施形態における嵌合凸部の変形例を示しており、（ａ）は前脚部の斜視図、（ｂ）は断面図、（ｃ）は（ｂ）のＡ−Ａ線断面図、（ｄ）と（ｅ）はさらに別の変形例の、Ａ−Ａ線と同じ位置から見た断面図。
【図５】第１実施形態における嵌合凹部の変形例を示しており、（ａ）は変形例１の断面図、（ｂ）は変形例２の斜視図、（ｃ）は断面図、（ｄ）と（ｅ）は（ａ）の嵌合凹部にさらに別体の補助部材を付け加えた場合の取り付け説明断面図。
【図６】本発明を動物人形に適用した場合の第２実施形態を示しており、（ａ）は斜視図、（ｂ）は一部切り欠き分解斜視図。
【図７】上記第２実施形態における（ａ）は中間連結部と前脚部の斜視図、（ｂ）はこれらの組み付け状態を表す斜視図。
【図８】同、前脚部の組み付け手順を示す断面説明図。
【図９】第２実施形態における嵌合凸部の変形例を示しており、（ａ）は斜視図、（ｂ）は平面図、（ｃ）は（ｂ）のＡ−Ａ線断面図、（ｄ）はさらに別の変形例の、Ａ−Ａ線と同じ位置から見た断面図。
【発明を実施するための形態】
【００１６】
以下、本発明にかかる連結構造の実施形態を図に基づき説明するが、これに限定されるものではない。
【００１７】
≪第１実施形態≫
図１ないし図３は第１実施形態として本発明にかかる連結構造を適用した場合の動物人形１０を示しており、図１（ａ）は斜視図、（ｂ）は一部切り欠き分解斜視図、図２は前記第１実施形態における（ａ）は前脚部と嵌合凹部の斜視図、（ｂ）は断面図、図３（ａ）ないし（ｃ）は前脚部の組み付け手順を示す断面説明図、である。
【００１８】
図において、動物人形１０は、これを構成する部材として胴体部１１、頭部１２、前脚部１３・１３、後脚部１４・１４を有し、胴体部１１にその他の部材が連結構造１５によって連結される構成となっている。
【００１９】
これら各部材はビニールやポリプロピレン等の素材よりなるシートを密閉された袋状に形成したもので、空気を注入することによって膨張し、それぞれ胴体部１１や頭部１２、前脚部１３・１３、後脚部１４・１４の形状をなすようになっている。
【００２０】
符号１９は、空気をこれらの部材に注入し、また排出するためのバルブであり、各部材ごとに設けられている。なお、このバルブ１９は、既によく知られた構造であるためにここでの説明は省略する。
【００２１】
つぎに、かかる部材を連結するための連結構造１５について説明する。ここでは胴体部１１と前脚部１３についてのみ説明をおこなうが、胴体部１１と頭部１２、胴体部１１と後脚部１４・１４、についても同様の構成となっている。
【００２２】
この連結機構１５は嵌合凹部１６と嵌合凸部１７とで構成されている。
【００２３】
このうち嵌合凹部１６は、中空の球体の一部が開口した形状を有する凹部本体１６ａと、該凹部本体１６ａの開口部１６ｂ周縁から径方向外向きに延出するフランジ部１６ｃと、で構成されている。開口部１６ｂの径は内部径よりも小さく設定されており、嵌合した嵌合凸部１７が不用意に抜けることのないようになっている。
【００２４】
この嵌合凹部１６は、胴体部１１にあけられた取付孔１１ａにフランジ部１６ｃが接着されることでこの胴体部１１に取り付けられており、胴体部１１に空気が注入されたとしてもその形状が内圧で変化しない程度の硬さを有している。
【００２５】
なお、ここでは図示しないがこの嵌合凹部１６は、前脚部１３・１３だけでなく頭部１２や後脚部１４・１４を取り付ける位置にもそれぞれ取り付けられている。
【００２６】
嵌合凸部１７は、前脚部１３の基端側にこの前脚部１３と一体的に形成されており、空気を注入した際には該前脚部１３と一緒に膨張するようになっている。詳しくは、膨張したときには略球形状になる凸部本体１７ａと、該嵌合部１７ａと前脚部１３の基端部とを連結する首部１７ｂと、で構成されており、凸部本体１７ａは膨張時には前記凹部本体１６ａの内部径よりもやや大きくなるように設定されている。
【００２７】
〈取り付け手順〉
つぎに、かかる構成を有する動物人形１０の胴体部１１に前脚部１３を取り付ける手順について、図３を基に説明する。
【００２８】
まず、胴体部１１に空気を注入して膨らませた状態にする。前脚部１３側は萎んだ状態のままにしておく。
【００２９】
つぎに、胴体部１１側に設けられた嵌合凹部１６に、前脚部１３側に設けられた嵌合凸部１７を挿入する。このとき嵌合凸部１７は前脚部１３と同様に萎んだ状態であるので、差し込み作業は容易におこなうことができる。
【００３０】
差し込みを終えたら前脚部１３に空気を注入して膨張させていく。そうすると、つれて嵌合凸部１７も膨らんでいき、これの凸部本体１７ａが凹部本体１６ａに圧接した状態で嵌合して胴体部１１と前脚部１３とが連結される。
【００３１】
この連結された状態にあるとき、前脚部１３側に設けられた凹部本体１７ａの内部径は、嵌合凹部１６の開口部１６ｂの径よりも大きくなっているので、仮に前脚部１３に不用意な負荷がかかったとしても簡単に抜けるようなことはない。
【００３２】
また、凸部本体１７ａの膨張時の外径が凹部本体１６ａの内部径よりも大きく設定されているために、常にこの凹部本体１６ａを凸部本体１７ｑが内側から押圧しているので、連結する際に設定した前脚部１３の姿勢は重力の影響をうけることなく保持される。
【００３３】
なお、凹部本体１６ａと凸部本体１７ａの大きさの割合や空気圧などの設定を変えることによって、この前脚部１３を手にとって軽く動かしたり回転させたりすることができるようにすることも可能である。
【００３４】
＜第１実施形態の変形例＞
図４は第１実施形態の嵌合凸部の変形例を示しており、（ａ）は変形例１の斜視図、（ｂ）は断面図、（ｃ）は（ｂ）のＡ−Ａ線断面図、（ｄ）は変形例２の、Ａ−Ａ線に相当する位置からみた断面図、（ｅ）は変形例３の、Ａ−Ａ線に相当する位置からみた断面図である。
【００３５】
図４（ａ）ないし（ｃ）に示す変形例１は、嵌合凸部１７の首部１７ｂに円環状のリング体１７ｃを固着したものである。こうすることによって、嵌合凹部１６と嵌合凸部１７が嵌合したときのガタツキを防ぐことができ、また、前脚部１３の姿勢を変化させる際にもよりスムーズに動かすことができるという利点が生じる。
【００３６】
図４（ｄ）に示す変形例２のリング体１７ｄは、外周壁が断面視で六角形状に形成されたものである。さらに（ｅ）に示す変形例３のリング体１７ｅは外周壁に所定の間隔で径方向全周にわたる凹凸が形成されたものである（図示しないが、嵌合凹部１６側の開口部１６ｂもこれらに嵌合する形状に形成される）。
【００３７】
こうした構成にしておくと、いったん連結した２部材の相対的な位置関係を変化させることはできなくなるので、例えば大型のビニール製人形等に適用すれば、その重さによって最初に設定した姿勢が徐々に崩れてくる、といった不都合を防ぐことができる。
＜第１実施形態の変形例＞
図５は第１実施形態の嵌合凹部の変形例を示しており、（ａ）は変形例１の断面図、（ｂ）は変形例２の斜視図、（ｃ）は断面図、（ｄ）と（ｅ）は（ａ）の嵌合凹部にさらに別体の補助部材を付け加えた場合の取り付け説明断面図である。
【００３８】
図５（ａ）に示す変形例１の嵌合凹部１６Ａは、開口部径と内部径とを同一にしたものである。こうすることによって、負荷がかかれば嵌合凸部１７が抜けやすくはなるという欠点が生じるものの、嵌合凹部１６Ａのみならず該嵌合凹部１６Ａに対応して形成される嵌合凸部１７Ａにも首部を形成する手間を省くことができるので、製造が簡単になりコストを抑えることができるという新たな利点が生じるので、例えば小さな飾り付け用人形など、あまり荷重や負荷のかかるおそれのない構造体には好適となる。
【００３９】
図５（ｂ）および（ｃ）に示す変形例２の嵌合凹部１６Ｂは、対向する一対の側壁と天壁、底壁とで形成された角筒体１６ｄの天壁中央部に、凹部本体１６ａを設けたものである。こうすることによってこの変形例２は、部材の表面に固着するだけでよくなり取り付けが簡単であるいう利点を有する。
【００４０】
また、図５（ｄ）および（ｅ）に示す変形例３は、前記変形例１の嵌合凹部１６Ａにさらに補助部材１６ｅを別体として形成し、取り付けたものである。この補助部材１６ｅは、端面中央に嵌合凹部１６Ａの内部径よりも小径な挿通孔を穿設したもので、これを嵌合凹部１６Ａに取り付けることによって開口部を窄めるのと同じ効果が生じるようになっており、こうすることによって、それぞれの部材を簡単な構造の金型で製造できるという利点が生じる。
≪第２実施形態≫
図６ないし図８は第２実施形態として本発明にかかる連結構造を適用した場合の動物人形２０を示しており、図６（ａ）は斜視図、（ｂ）は一部切り欠き分解斜視図、図７（ａ）は中間連結部と前脚部の分解斜視図、（ｂ）はこれらを組み付けた状態を表す斜視図、図７は中間連結部に前脚部の組み付ける手順を示す断面説明図、である。
【００４１】
ここでは、前脚部１３は中間連結部２８を介して胴体部１１に取り付けられるものとなっている。以下、この構成についてさらに詳しく説明する。なお、煩雑さを防ぐために第１実施形態と同一の部位には同一記号を付し、説明を省略している。
【００４２】
図において、中間連結部２８は、嵌合凸部１７を有する空気袋部２３と、嵌合凸部２７と、で構成されている。
【００４３】
このうち空気袋部２３は、嵌合凸部１７を支持し且つ該嵌合凸部１７に空気を注入して膨張させるためのもので、第１実施形態における前脚部１３などと同様にビニールやポリプロピレン等の素材よりなるシートを短円柱形の袋状に形成したものである。その周壁にはバルブ１９が設けられ、天面には嵌合凸部１７が一体的に設けられ、バルブ１９から注入された空気は空気袋部２３を介して嵌合凸部１７に送り込まれ、これを膨張させるようになっている。また、底面には嵌合凸部２７が取り付けられている。
【００４４】
嵌合凸部２７は一対の支持板２７ａ・２７ａと該支持板の基端部を連結する底板２７ｂとからなる平面視略コ字形状に形成されたもので、両支持板２７ａ・２７ａの内側には一対の嵌合軸２７ｃ・２７ｃが対向してそれぞれ突設されている。
【００４５】
前脚部１３の基端側には、前記嵌合凸部２７側に設けられた嵌合軸２７ｃ・２７ｃに対応する位置に一対の嵌合凹部２６・２６がそれぞれ取り付けられている。この嵌合凹部２６は、前記空気袋部２３に空気が注入されたとしてもその内圧によって形状が変化しない程度の硬さを有する硬質の合成樹脂材からなっており、有底筒状に形成された凹部本体２６ａと、これの開口部周縁から径方向外向きに延出するフランジ部２６ｃとで構成されている。この嵌合凹部２６は、フランジ部２６ｃを前脚部１３に開けられた取付孔２３ａの内周縁に接着することでこの前脚部１３に取り付けられている。
【００４６】
〈取り付け手順〉
つぎに、かかる構成を有する動物人形２０の胴体部１１に前脚部１３を取り付ける手順について、図８を基に説明する。
【００４７】
まず、先に膨らませた胴体部１１に中間連結部２８を連結させておく。この連結手順については既に述べた第１実施形態と同じであるためここでは省略する。前脚部１３側は萎んだ状態のままにしておく。
【００４８】
つぎに、前脚部１３を、取り付けられている嵌合凹部２６・２６が中間連結部２８側の嵌合凸部２７に設けられている嵌合軸２７ｃ・２７ｃの間にくるように押し込み、空気を注入していく。そうすると、前脚部１３の膨張につれて嵌合凹部２６・２６が嵌合軸２７ｃ・２７ｃに近づいていき、やがて嵌合し、さらには支持板２７ａ・２７ａ側に向かって強く押し付けら、中間連結部２８と前脚部１３とは連結された状態となる。
【００４９】
この連結された状態にあるとき、前脚部１３は、中間連結部２８側の内側に向かってそれぞれ突設された嵌合軸２７ｃ・２７ｃによって嵌合凹部２６・２６を介して両側から挟持された格好となっている。したがって不用意に負荷がかかったとしても抜けるおそれがない。
【００５０】
＜第２実施形態の変形例＞
図９は第２実施形態における嵌合軸の変形例を示したもので、（ａ）は斜視図、（ｂ）は平面図、（ｃ）は（ｂ）のＡ−Ａ線断面図、（ｄ）は（ｂ）のＡ−Ａ線に相当する位置からみた変形例２の断面図、である。
【００５１】
図９（ａ）ないし（ｃ）に示す変形例１の嵌合軸２７ｄ・２７ｄは、その外周が軸方向全体にわたってＡ−Ａ線断面視で六角形状に形成されたもので、さらに（ｄ）に示す変形例２の嵌合軸２７ｄ・２７ｄは、軸方向全体にわたって所定の間隔で径方向全周に凹凸が形成されたものである（図示しないが、嵌合凹部２６側の凹部本体２６ａの周側壁もこれらに嵌合する形状に形成される）。
【００５２】
こうした構成にしておくと、いったん連結した２部材の相対的な位置関係を変化させることはできなくなるので、例えば大型のビニール製人形等に適用すれば、その重さによって最初に設定した姿勢が徐々に崩れてくる、といった不都合を防ぐことができる。
【００５３】
以上説明したように、本発明によれば、空気を入れて膨らませるタイプの構造体でありながらも、構成する部材の相対的な位置関係をさまざまに変化させて連結することができるうえ、分解や組み付け作業が容易な部材連結構造を、安価に提供することができる、という効果がある。
【符号の説明】
【００５４】
１０、２０・・・・・・・・・・・・・・・・動物人形
１１・・・・・・・・・・・・・・・・・・・胴体部
１１ａ・・・・・・・・・・・・・・・・・・取付孔
１２・・・・・・・・・・・・・・・・・・・首部
１３・・・・・・・・・・・・・・・・・・・前脚部
１３ａ・・・・・・・・・・・・・・・・・・取付孔
１４・・・・・・・・・・・・・・・・・・・後脚部
１５・・・・・・・・・・・・・・・・・・・連結構造
１６、１６Ａ、１６Ｂ、２６・・・・・・・・嵌合凹部
１６ａ、２６ａ・・・・・・・・・・・・・・凹部本体
１６ｂ・・・・・・・・・・・・・・・・・・開口部
１６ｃ、２６ｃ・・・・・・・・・・・・・・フランジ部
１６ｄ・・・・・・・・・・・・・・・・・・角筒体
１６ｅ・・・・・・・・・・・・・・・・・・補助部材
１７、１７Ａ・・・・・・・・・・・・・・・嵌合凸部
１７ａ・・・・・・・・・・・・・・・・・・凸部本体
１７ｂ・・・・・・・・・・・・・・・・・・首部
１９・・・・・・・・・・・・・・・・・・・バルブ
２３・・・・・・・・・・・・・・・・・・・空気袋部
２７・・・・・・・・・・・・・・・・・・・嵌合凸部
２７ａ・・・・・・・・・・・・・・・・・・支持板
２７ｂ・・・・・・・・・・・・・・・・・・底板
２７ｃ、２７ｄ・・・・・・・・・・・・・・嵌合軸
２８・・・・・・・・・・・・・・・・・・・中間連結部